(57)【要約】      （修正有）【課題】操作が簡単で誰でも容易に開栓できるワインボトル用の栓抜き付のコルク栓を提供する。【解決手段】所定の径と長さを有するコルク栓の長さ方向中央部に操作ひもの挿通孔を形成し、該挿通孔にコルク栓の長さより所定長さ長く形成している操作ひもを挿通し、該操作ひもの下端に押当部を形成し、該操作ひもの上端につまみ部を形成し、コルク栓の開栓に際してはつまみ部を把手して上方に引き上げることによって押当部がコルク栓の下面を押し上げ、ワインボトルに閉栓されているコルク栓が開栓されることを特徴とするワインボトル用のコルク栓である。【選択図】図２
0003150091.tif 000002
【実用新案登録請求の範囲】
【請求項１】
所定の径と長さを有するコルク栓の長さ方向中央部に操作ひもの挿通孔を形成し、該挿通孔にコルク栓の長さより所定長さ長く形成している操作ひもを、そのひもの上下端がコルク栓の上面及び下面より露出状態に挿通し、該操作ひもの下端に押当部を形成し、該操作ひもの上端につまみ部を形成し、コルク栓の開栓に際してはつまみ部を把手して上方に引き上げることによって押当部がコルク栓の下面を押し上げ、ワインボトルに閉栓されているコルク栓が開栓されることを特徴とするワインボトル用のコルク栓。
【請求項２】
つまみ部および押当部は球体からなり、その径はコルク栓の径より小径に形成されていることを特徴とする請求項１記載のワインボトル用のコルク栓。
【考案の詳細な説明】
【技術分野】
【０００１】本考案はワインボトル用のコルク栓に関する。
【背景技術】
【０００２】従来ワインボトルはコルク栓で閉栓されている。
コルク栓は弾力性があり、ボトルの内径よりも大きめの径のものを圧縮状態で閉栓している。開栓に際しては通常コルク栓の上面を覆っている化粧された閉封を外し、次いでコルクスクリュウを使用し、たとえばＴ字型のコルクスクリュウを用いてコルク栓にスクリュウを所定の深さまでねじ込んで、ついでＴ字型の把手部を持ち上げてコルク栓をワインボトルから抜いて開栓している。
【考案の開示】
【考案が解決しようとする課題】
【０００３】上記従来のコイルスクリュウによる開栓の方法では以下のような問題点がある。
その一つはコルク栓にコルクスクリュウをねじ込む際にコルク栓の中央部からずれて、斜め方向にねじ込んだ場合、開栓の際にコイルスクリュウを引き上げるとコルク栓の周囲にかかる圧力が不均一になり、コルク栓のねじが破損し、コルクが粉砕して開栓できない。
その二つはコイルスクリュウによる開栓は相当な熟練者でないとうまくできず、誰でもが開栓できない。
その三つはコイルスクリュウを常備していなければならず、収納場所にない場合開栓できないという不便さがある。ことに山登り、ハイキング、自動車旅行等でワインボトルを準備してもコルクスクリュウを持ち忘れた場合開栓できずワインが飲めない。
【課題を解決するための手段】
【０００４】本考案は上記の問題点を解決したもので、コルク栓に栓抜きを一体的に形成している点にあり次の特徴を備えている。
その特徴の一つは「所定の径と長さを有するコルク栓の長さ方向中央部に操作ひもの挿通孔を形成し、該挿通孔にコルク栓の長さより所定長さ長く形成している操作ひもを、そのひもの上下端がコルク栓の上面及び下面より露出状態に挿通し、該操作ひもの下端に押当部を形成し、該操作ひもの上端につまみ部を形成し、コルク栓の開栓に際してはつまみ部を把手して上方に引き上げることによって押当部がコルク栓の下面を押し上げ、ワインボトルに閉栓されているコルク栓が開栓されることを特徴とするワインボトル用のコルク栓」である。【０００５】その特徴の２つは「上記の構成においてつまみ部および押当部は球体からなり、その径はコルク栓の径より小径に形成されていることを特徴とするワインボトル用のコルク栓」である。
【考案の効果】
【０００６】本考案によるコルク栓は、その長さ方向中央部に形成している挿通孔に、操作ひもを挿通して、その下端に押当部を形成し、上端につまみ部を形成しているので、次の効果を奏する。
その一つは、ワインボトルにコルク栓を閉栓している状態から、閉封を外してからつまみ部を把手して上方に引き上げれば、押当部がコルク栓の下面を押上げてコルク栓が開栓できる。しかも引き上げる力はコルク栓の外周に均一に係るので誰もが容易に開栓できる。従来のコルクスクリュウによる開栓は素人では操作しにくく、コルク栓が破損すればナイフ等を使っての開栓となり、再閉栓できない欠点があるが、本考案のコルク栓は素人でも簡単に開栓、閉栓できる。【０００７】その二つは、コルク栓に栓抜きの作用をする構成が形成されているので、ワインボトルはどの場所にあっても開栓できるとともに、素人、小人でも容易に開栓、閉栓できる。従来のコルクスクリュウの不携帯による開栓できないという欠点が解消される。
本考案は上記の特徴があり実用価値大である。
【考案を実施するための最良の形態】
【０００８】本考案の実施形態について以下に図面を用いて説明する。
図１は本考案コルク栓の一実施例を示す断面図である。１はコルク栓で従来同様の所定の径と長さを有している。２は長さ方向中央部に形成している操作ひもの挿通孔である。挿通孔は後述の操作ひもが挿通できる大きさとし、小さい方が好ましい。【０００９】図２は図１のコルク栓の挿通孔２に、コルク栓の長さより所定長さ長く形成している操作ひも３を、該ひもの上下端がコルク栓の上面および下面より露出状態で挿通し、その紐の下端に押当部４を、上端につまみ部５を形成しているコルク栓を示し、Ａは操作ひもを下げた正面図、Ｂは操作ひもをひき上げた正面図、Ｃは平面図である。操作ひもは引張り強度があり、ワインに悪影響を与えない材質であればよく、たとえば合成樹脂製である。その長さはコルク栓の長さより所定長さ長く、約１．５から２倍の長さにしている。操作ひもはガイド針にとりつけて、コルク栓の挿通孔に挿通させ、下端に押当部を適宜手段で一体に形成し、上端につまみ部を適宜手段で一体に形成している。押当部及びつまみ部は操作ひも同様にワインに悪影響を与えない材質であればよく、たとえば合成樹脂製の球体である。この球体はワインボトルの内径より小さい径に形成している。押当部及びつまみ部は球体でなくてもよいが、押当部はコルク栓の下面を均一に押圧する形状が好ましい。【００１０】図３は図２に示すコルク栓をワインボトルに挿着した要部平面図で、閉栓時の状態である。コルク栓の栓の仕方は従来同様であり、外周を圧縮して行う。
ワインボトル６にはその内径にコルク栓１が圧縮状態で挿着されている。しかして操作ひも３および押当部４がコルク栓の下面から下方に下がっており、つまみ部５がコルク栓の上面に載置された状態で、閉封７にて覆われている。【００１１】図４は図３に示す閉封を外し、つまみ部５を把手８して操作ひも３を引上げた状態の略正面図を示す。さらに引上げると押当部４がコルク栓１を押上げて開栓される。【００１２】図５はコルク栓の他の実施例を示し、Ａは正面図、Ｂは平面図である。コルク栓９には半径方向に操作ひもをガイドするガイド溝１０を中央部の挿通孔１１に連なるように形成している。ガイド溝は操作ひもを通すことができる最小限の隙間間隔で形成されており、操作ひもがガイド溝の隙間よりわずかに太くても溝は弾性によって押しひろげられて挿通孔に挿入される。コルク栓がワインボトルに閉栓した状態では圧縮されてガイド溝の空隙は消滅しコルク栓の端面同志が密接する。【００１３】図６は図５のコルク栓に操作ひもを挿通した他の実施例を示し、予め押当部１３及びつまみ部１４が操作ひもに一体に形成されている。Ａはコルク栓の上面に出ている操作ひも１２が折りたたまれており、押当部１３がコルク栓の下面に押当てられている状態の正面図、Ｂは操作ひもを引上げた状態の正面図である。開栓するには上記実施例と同様つまみ部１４を把手して操作ひもを引上げればよい。【００１４】以上本考案の実施例について説明しているが、その他本考案の技術思想を逸脱しない限りの設計変更は可能である。
【図面の簡単な説明】
【００１５】
【図１】本考案の一実施例を示すコルク栓の断面図。
【図２】同じくコルク栓の正面図でＡは操作ひもを下げた正面図、Ｂは操作ひもを上げた正面図、Ｃは平面図。
【図３】図２に示すコルク栓をワインボトルに挿着した要部正面図。
【図４】図３に示すコルク栓のつまみ部を把手して引上げた状態の略正面図。
【図５】本考案コルク栓の他の実施例を示し、Ａは正面図、Ｂは平面図。
【図６】図５のコルク栓を用いた他の実施例を示し、Ａは正面図、Ｂは操作ひもを引上げた正面図である。
【符号の説明】
【００１６】１    コルク栓
２    挿通孔
３    操作ひも
４    押当部
５    つまみ部
６    ワインボトル
７    閉封
８    把手
９    コルク栓
１０  ガイド溝
１１  挿通孔
１２  操作ひも
１３  押当部
１４  つまみ部
【図１】
0003150091.tif 000003
【図２】
0003150091.tif 000004
【図３】
0003150091.tif 000005
【図４】
0003150091.tif 000006
【図５】
0003150091.tif 000007
【図６】
0003150091.tif 000008